(57)【要約】 【課題】  表示装置の文字・記号・図形等の表示を容易に作成又は変更することができると共に、立体感を持たせた装飾を施した表示装置を提供する。【解決手段】  文字・記号・図形等の表示を印刷する透明又は半透明の表示シート１と、複数の凸レンズ状突起２を有するレンズ部１１と模様３を有する模様部１２により模様を立体視可能にした装飾シート１０とからなり、前記表示シート１を前記装飾シート１０の前面に設けた表示装置。【選択図】    図１
2005275018.tif 000002
【特許請求の範囲】
【請求項１】
文字・記号・図形等の表示を印刷する透明又は半透明の表示シートと、複数の凸レンズ状突起を有するレンズ部と模様を有する模様部により模様を立体視可能にした装飾シートとからなり、前記表示シートを前記装飾シートの前面に設けた表示装置。
【請求項２】
前記表示シートの前面に透明又は半透明のカバー体を設けた請求項１に記載の表示装置。
【請求項３】
前記表示シートを交換可能に設けた請求項１又は２に記載の表示装置。
【請求項４】
前記カバー体に、前記表示シートをガイドするガイド部を設けた請求項３に記載の表示装置。
【請求項５】
前記表示シートは、表面が粗面化処理された合成樹脂シートからなる請求項１乃至４のいずれかに記載の表示装置。
【請求項６】
前記装飾シートの背面に、背景を表示した背景シートを設けた請求項１乃至５のいずれかに記載の表示装置。
【請求項７】
前記背景シートの背面に支持体を設けた請求項６に記載の表示装置。
【請求項８】
前記背景シートは、表面が粗面化処理された合成樹脂シートからなる請求項６又は７に記載の表示装置。
【発明の詳細な説明】
【技術分野】
【０００１】
本発明は、ポスター・案内板・メニュー等に装飾を施して表示する表示装置に関する。
【背景技術】
【０００２】
従来、ポスター・案内板・メニュー等に装飾を施すには、文字・記号・図形等の表示と共に模様を印刷したり、模様を付した用紙やプラスチックシート等に文字・記号・図形等の表示を印刷したりしている。
また、プラスチックシートに模様を付したものとしては、透明性シートの表面に複数の凸レンズ状の突起を連続した任意のパターンで設けると共に、該シートの裏面に表面と同じ連続パターンをもつ模様を表面の連続パターンに対して変位させて印刷し、模様を立体的に発現させるようにした装飾シートが知られている（例えば、特許文献１参照）。
【特許文献１】特許第２７６１８６１号公報
【発明の開示】
【発明が解決しようとする課題】
【０００３】
しかし、従来のポスター・案内板・メニュー等は、文字・記号・図形等の表示の内容が変更になったときに、変更の無い模様も一緒に印刷する必要があったり、新たに模様を付した用紙やプラスチックシート等を用意して文字・記号・図形等の表示を印刷する必要があったりして、コスト高になるという課題があった。
また、特許文献１の装飾シートは、表面に複数の突起を連続して設けているために、そのままでは表面に文字・記号・図形等の表示を設けることが困難であり、裏面に文字・記号・図形等の表示を設けると表示を鮮明に視認することができないという課題があった。
【０００４】
そこで、本発明は、表示装置の文字・記号・図形等の表示を容易に作成又は変更することができると共に、立体感を持たせた装飾を施した表示装置を提供するものである。
【課題を解決するための手段】
【０００５】
本発明は、上記課題を解決するために、文字・記号・図形等の表示を印刷する透明又は半透明の表示シートと、複数の凸レンズ状突起を有するレンズ部と模様を有する模様部により模様を立体視可能にした装飾シートとからなり、前記表示シートを前記装飾シートの前面に設けた表示装置を提供するものである。
【０００６】
また、本発明は、前記表示シートの前面に透明又は半透明のカバー体を設けた請求項１に記載の表示装置を提供するものである。
【０００７】
また、本発明は、前記表示シートを交換可能に設けた請求項１又は２に記載の表示装置を提供するものである。
【０００８】
また、本発明は、前記カバー体に、前記表示シートをガイドするガイド部を設けた請求項３に記載の表示装置を提供するものである。
【０００９】
また、本発明は、前記表示シートが、表面が粗面化処理された合成樹脂シートからなる請求項１乃至４のいずれかに記載の表示装置を提供するものである。
【００１０】
また、本発明は、前記装飾シートの背面に、背景を表示した背景シートを設けた請求項１乃至５のいずれかに記載の表示装置を提供するものである。
【００１１】
また、本発明は、前記背景シートの背面に支持体を設けた請求項６に記載の表示装置を提供するものである。
【００１２】
また、本発明は、前記背景シートが、表面が粗面化処理された合成樹脂シートからなる請求項６又は７に記載の表示装置を提供するものである。
【発明の効果】
【００１３】
本発明に係る表示装置によれば、文字・記号・図形等の表示を印刷する透明又は半透明の表示シートと、複数の凸レンズ状突起を有するレンズ部と模様を有する模様部により模様を立体視可能にした装飾シートとからなり、前記表示シートを前記装飾シートの前面に設けた構成を有することにより、表示装置を見る角度によって装飾シートに表れる模様が変化して立体的に見えるから、文字・記号・図形等の表示に立体感を持たせた装飾を施すことができると共に、表示シートを装飾シートの前面に設けたから、表示シートの文字・記号・図形等の表示を鮮明に視認することができる効果がある。
【００１４】
また、本発明は、前記表示シートの前面に透明又は半透明のカバー体を設けた請求項１に記載の構成を有することにより、カバー体で表示シートを保護することができる効果がある。
【００１５】
また、本発明は、前記表示シートを交換可能に設けた請求項１又は２に記載の構成を有することにより、表示シートのみを交換することによって表示装置の文字・記号・図形等の表示を簡単に変更することができ、コストを低減することができる効果がある。
【００１６】
また、本発明は、前記カバー体に、前記表示シートをガイドするガイド部を設けた請求項３に記載の構成を有することにより、ガイド部が表示シートをガイドして表示シートを表示装置に容易に挿入又は取出しすることができる効果がある。
【００１７】
また、本発明は、前記表示シートが、表面が粗面化処理された合成樹脂シートからなる請求項１乃至４のいずれかに記載の構成を有することにより、プリンターで文字・記号・図形等の表示を表示シートに印刷することによって、表示装置を迅速に作成することができる効果がある。
【００１８】
また、本発明は、前記装飾シートの背面に、背景を表示した背景シートを設けた請求項１乃至５のいずれかに記載の構成を有することにより、装飾シートに表れる立体感のある模様と背景シートに表示した背景を組み合わせることによって、表示装置に多様な装飾を施すことができる効果がある。
【００１９】
また、本発明は、前記背景シートの背面に支持体を設けた請求項６に記載の構成を有することにより、支持体で背景シートを支持することができる効果がある。
【００２０】
また、本発明は、前記背景シートが、表面が粗面化処理された合成樹脂シートからなる請求項６又は７に記載の構成を有することにより、プリンターによって背景シートに背景を印刷することができるから、オリジナルの背景を背景シートに印刷することができる効果がある。
【発明を実施するための最良の形態】
【００２１】
本発明の実施の形態を図示する実施例に基づいて説明する。
本発明に係る表示装置は、文字・記号・図形等の表示を印刷する透明又は半透明の表示シート１と、複数の凸レンズ状突起２を有するレンズ部１１と模様３を有する模様部１２により模様を立体視可能にした装飾シート１０とからなり、前記表示シート１を前記装飾シート１０の前面に設けてある。
【実施例１】
【００２２】
図１乃至図４に示す実施例において、表示シート１は、表面に粗面化処理をした透明又は半透明の合成樹脂シートからなり、プリンターによって文字・記号・図形等の表示を容易に印刷することができることから、ポリエステル樹脂からなることが好ましい。
【００２３】
また、表示シート１の前面には、透明又は半透明の合成樹脂からなるカバー体４を設けてある。カバー体４は、耐衝撃性・耐候性に優れることからアクリルからなることが好ましい。また、図１及び図２に示すように、カバー体４の背面には、表示シート１を収容できる幅の凹状溝を設け、表示シート１をガイドするガイド部７を形成してあり、表示シート１をガイドして容易に挿入又は取出しすることができるように構成してある。
【００２４】
装飾シート１０は、透明又は半透明の合成樹脂シートからなり、シートの前面に複数の凸レンズ状突起２を配列してレンズ部１１を形成してあると共に、シートの背面に突起２に対応させて複数の模様３を配列して模様部１２を形成してある。この装飾シート１０のレンズ部１１と模様部１２の相互作用により、モアレ模様が立体的に発現して、装飾シート１０の表面から浮き出て視認されるか、又は、奥まって視認されるようにしてある。また、表示装置を前方の異なる角度から見た場合に、前面の突起２と背面の模様３の相対位置関係が変化して、見る角度によって模様が変化するようにしてある。
【００２５】
装飾シート１０には、例えば、ポリエチレン、ポリプロピレン、ポリエステル、ポリアミド、ウレタン、ポリ塩化ビニル等の汎用の合成樹脂シートを使用することができ、耐候性に優れることからアクリルシートを使用することが好ましい。
【００２６】
図示の実施例において、５は背景を表示した背景シートであり、装飾シート１０の背面に設けてある。背景シート５には、紙又は合成樹脂シートを使用することができ、耐水性・耐候性に優れ、プリンターによって容易に印刷することができることから、ポリエステル樹脂を使用することが好ましい。
また、図示の実施例において、背景シート５の背面には、合成樹脂からなる支持体６を設けてある。背景シート５は、プリンターで印刷できるから薄手のシートであることが好ましいが、剛性のある厚手のシートを使用して支持体６を省略することも勿論可能である。
【００２７】
図１乃至図４において、８は枠体であり、断面コ字状に形成してあり、カバー体４、表示シート１、装飾シート１０、背景シート５及び支持体６を挟持することができるようにしてある。また、図３に示すように、枠体８の上部には、蓋体９を冠着させる冠着部１３を設けてあり、枠体８に蓋体９を冠着させて、カバー体４、装飾シート１０、背景シート５及び支持体６を固定してある。
【００２８】
また、蓋体９には、表示シート１を出し入れするための開口部１４を設けてあり、蓋体９を枠体８に冠着させた状態で、表示シート１を表示装置内に挿入又は取出しすることができるようにしてある。図示の実施例では、図２に示すように、表示シート１の端部が開口部から突出するサイズに表示シート１を形成し、表示シート１の端部を把持して容易に取り出すことができるように構成してある。
なお、本発明に係る表示装置は、実施例のように、枠体８で挟持する場合に限られず、ネジで固定したり、夫々のシートを接着剤で張り合わせて固定したりすることも可能である。
【００２９】
本発明に係る表示装置は、図４に示すように、レンズ部１１と模様部１２の相互作用により、破線で示すモアレ模様が立体的に発現して、装飾シート１０の表面から奥まって視認されるようにしてあり、モアレ模様に対して表示シート１に印刷した文字・記号・図形等の表示が浮き出て見えるようにしてある。
なお、本発明に係る表示装置は、図示の実施例に限られず、カバー体４と表示シート１と装飾シート１０からなり、背景シート及び支持体を設けない構成とすることもできる。
【００３０】
また、本発明に係る表示装置は、ポスター・案内板・メニュー等のように、表示装置の文字・記号・図形等の表示を変更する機会の多いものに使用すると好適であり、同一の表示内容を継続的に使用する表札は含まれない。
【図面の簡単な説明】
【００３１】
【図１】本発明表示装置の一実施例を示す一部横断平面図
【図２】その一実施例を示す一部縦断右側面図
【図３】その一実施例を示す分解斜視図
【図４】その一実施例を示す斜視図
【符号の説明】
【００３２】
１  表示シート
２  突起
３  模様
４  カバー体
５  背景シート
６  支持体
７  ガイド部
８  枠体
９  蓋体
１０  装飾シート
１１  レンズ部
１２  模様部
１３  冠着部
１４  開口部
【図１】
2005275018.tif 000003
【図２】
2005275018.tif 000004
【図３】
2005275018.tif 000005
【図４】
2005275018.tif 000006